(57)【要約】【課題】  気密性が良く、扉開閉のために要するスペースの小さな開閉機構を提供する。【解決手段】  閉位置にある扉１２の前方で、扉１２と干渉しない間隔を開けて扉１１を左右方向Ｗにスライドさせるための主ガイド溝２１と、主ガイド溝２１から、扉１１および１２のそれぞれを、閉位置に移動するためのサブガイド溝２２ａおよび２２ｂとを有する開閉機構２０を提供する。扉１１をサブガイド溝２２ａおよび２２ｂにより主ガイド溝２１に移動すると、閉位置にある扉１２の前方側で、扉１２を左右方向Ｗに移動できる。【選択図】        図３
2006125029.tif 000002
【特許請求の範囲】
【請求項１】
開口部を所定の方向に分割して閉じることができるパネル状の複数の扉と、
これら複数の扉の少なくとも１つの扉を、閉位置にある他の扉の前方で、前記他の扉と干渉しない間隔を開けて前記所定の方向にスライドさせるためのメインガイドと、
このメインガイドから、前記複数の扉のそれぞれを、前記閉位置に移動するための複数のサブガイドとを有し、
前記少なくとも１つの扉を、前記メインガイドから前記サブガイドにより前記閉位置に移動すると、前記少なくとも１つの扉は前記メインガイドから退避し、前記メインガイドにより前記他の扉の少なくともいずれかを前記所定の方向に移動できる、開閉機構。
【請求項２】
請求項１において、前記複数の扉は、前記メインガイドおよびサブガイドによりガイドされる連結ピンを備えている開閉機構。
【請求項３】
請求項２において、前記複数の扉の各々は、前記所定の方向の両端近傍に第１の連結ピンおよび第２の連結ピンをそれぞれ備えており、さらに、前記第１の連結ピンおよび前記第２の連結ピンをそれぞれガイドする第１のサブガイドおよび第２のサブガイドを有する開閉機構。
【請求項４】
請求項３において、前記第１のサブガイドは前記メインガイドから斜めに前記第１の連結ピンをガイドし、前記第２のサブガイドは、前記第１の連結ピンが前記閉位置に到達した位置で、前記第２の連結ピンを前記メインガイドとほぼ直交する方向にガイドする、開閉機構。
【請求項５】
請求項４において、前記メインガイドの前記所定の方向の両端は、前記第１のサブガイドに繋がっている、開閉機構。
【請求項６】
収納室と、
前記収納室の開口部を所定の方向に分割して閉じることができるパネル状の複数の扉と、
これらの複数の扉の少なくとも一つの扉を、閉位置にある他の扉の前方で、前記他の扉と干渉しない間隔を開けて前記所定の方向にスライドさせるためのメインガイドと、
このメインガイドから、前記複数の扉のそれぞれを、前記閉位置に移動するための複数のサブガイドとを有し、
前記少なくとも一つの扉を、前記メインガイドから前記サブガイドにより前記閉位置に移動すると、前記少なくとも一つの扉は前記メインガイドから退避し、前記メインガイドにより、前記他の扉のいずれかを前記所定の方向に移動できる、収納庫。
【請求項７】
請求項６において、前記収納室の内部の環境条件を調整する手段を有する収納庫。
【請求項８】
請求項６において、前記複数の扉を前記閉位置に移動させて前記開口部を閉じた状態において、前記収納室を密閉するシール構造を有する収納庫。
【発明の詳細な説明】
【技術分野】
【０００１】
本発明は、複数の扉により開口部を開閉する開閉機構およびそれを用いた収納庫に関するものである。
【背景技術】
【０００２】
玄米や豆類などが収容された袋体などの貯蔵物を貯蔵する収納庫が知られており、この収納庫では、扉が旋回することにより収納庫の開口部を開閉する観音開き方式、扉をスライドして開口部を開閉するスライド方式の機構が採用されている。特許文献１には、１枚の旋回式の扉を有する飯米の貯蔵庫が開示され、特許文献２には、スライド扉用のレール構造が開示されている。
【特許文献１】特開２０００−１０６７４５号公報
【特許文献２】特開２００１−４６１９２号公報
【発明の開示】
【発明が解決しようとする課題】
【０００３】
観音開き、または旋回式の扉は、開口部の縁を形成する戸当たりに前面から扉を当てて密着できるので密閉性の点で優れており、庫内の温度を管理したり、湿度を管理する必要のある収納庫の扉に適している。しかしながら、旋回式の扉は、開けるために、収納庫の前方に扉を旋回させるだけのスペースが必要になるので、収納庫を設置できる場所が限られる。また、多少旋回できる程度のスペースが扉の前にあっても、旋回可能な角度が小さいと開口部が開く範囲が限られてしまい、貯蔵物の搬入、搬出が困難になる。扉の幅を狭くすることにより旋回に必要なスペースを小さくできるが、扉の開閉により開く面積が小さくなり、実用的ではない。
【０００４】
スライド式の扉は、扉を動かすために収納庫の前方にスペースが基本的に不要であり、作業員などが扉にアクセスできるスペースがあれば良い。したがって、旋回式の扉を備えた収納庫に比較すると、設置場所に対する制約は少ない。しかしながら、開口部の縁を形成する戸当たりに対して扉をスライドさせて閉じるので、戸当たりと扉を密着させることが難しい。さらに、複数の扉を交互にスライドさせるために扉の間にある程度の隙間がないとスムーズにスライドできない。このため、扉同士の隙間を密封することが難しい。
【０００５】
そこで、本発明においては、スライド式の扉のように、収納庫の前方に扉を旋回するスペースがなくても開閉でき、旋回式の扉のように戸当たりに扉を前方から押し付けて密着し、気密性および断熱性を高めることができる開閉機構および収納庫を提供することを目的としている。
【課題を解決するための手段】
【０００６】
このため、本発明においては、開口部を所定の方向に分割して閉じることができるパネル状の複数の扉と、これら複数の扉の少なくとも１つの扉を、閉位置にある他の扉の前方で、他の扉と干渉しない間隔を開けて所定の方向にスライドさせるためのメインガイドと、このメインガイドから、複数の扉のそれぞれを、閉位置に移動するための複数のサブガイドとを有する開閉機構を提供する。この開閉機構においては、少なくとも１つの扉を、メインガイドからサブガイドにより閉位置に移動すると、少なくとも１つの扉はメインガイドから退避し、メインガイドにより他の扉の少なくともいずれかを所定の方向に移動できる。
【０００７】
本発明の開閉機構では、扉をサブガイドにより閉位置に移動することにより、扉はメインガイドから退避すると共に、開口部の縁を形成する戸当たりに対してメインガイドのある前方から扉が当たる。したがって、旋回式の扉と同様に、扉により開口部を密封できる。一方、サブガイドにより、閉位置からメインガイドに扉を移動すると、閉位置にある扉の間には干渉しない間隔（クリアランス）が確保されるので、メインガイドに沿って扉を所定の方向または第１の方向にスライドさせることができる。さらに、それぞれの扉はサブガイドによりメインガイドから導かれて個々に閉位置に移動するので、閉位置では扉同士を重ねずに、並列に並べることができる。このため、閉位置において扉同士が重なることはなく、扉同士が重なった隙間を密封する必要がなくなる。
【０００８】
このように、本発明の開閉機構は、スライド式と同様にスライドすることにより扉を移動でき、旋回式と同様に戸当たりに前面から扉を当てて閉めることができる。したがって、収納庫の前方に扉を旋回するスペースがなくても開閉でき、前方にアクセスするためのスペースがあればよく、また、扉により気密性および断熱性を高めることが容易な開閉機構を提供できる。第１の方向または所定の方向は垂直（鉛直）方向（上下方向）でも良く、水平方向（左右方向）でも良い。鉛直方向に扉をスライドさせる場合は、安全に扉を停止させるために、適当なストッパを設けることが望ましい。
【０００９】
収納室と、収納室の開口部を所定の方向に分割して閉じることができるパネル状の複数の扉と、これらの複数の扉の少なくとも一つの扉を、閉位置にある他の扉の前方で、他の扉と干渉しない間隔を開けて所定の方向にスライドさせるためのメインガイドと、このメインガイドから、複数の扉のそれぞれを、閉位置に移動するための複数のサブガイドとを有し、少なくとも一つの扉を、メインガイドからサブガイドにより閉位置に移動すると、少なくとも一つの扉はメインガイドから退避し、メインガイドにより、他の扉のいずれかを所定の方向に移動できる本発明の収納庫は、本発明の開閉機構を備えた収納庫であり、収納庫を置いて前方にアクセスできるだけのスペースがあれば設置することができ、さらに、密封性も高くできる。このため、本発明の収納庫は、温度や湿度などの庫内の環境温度を保持することが求められる用途に適している。さらに、収納室の内部の環境条件を調整する手段を設けることにより、収納庫が設置された周囲の環境に対して、庫内を積極的に所望の条件に保ち、食料品あるいはその他の製品を保存するのに適した環境を提供できる。また、所望の環境を維持するためには、複数の扉を閉位置に移動させて開口部を閉じた状態において、収納室を密閉するシール構造を設けておくことが望ましい。
【００１０】
複数の扉は、メインガイドおよびサブガイドによりガイドされる連結ピンを備えていることが望ましい。フックなどにより、メインおよびサブガイドの外側あるいは内側によって扉をガイドすることも可能であるが、レール溝あるいはスリットのように、連結ピンをガイドする方式であれば、メインガイドとサブガイドとの間の乗り移りが容易となり、切り替え機構を設けなくてもメインガイドとサブガイドとの間を乗り換えできる。
【００１１】
複数の扉の各々を１つの連結ピンで支持することも可能であるが、メインガイドでスライドさせたり、サブガイドで閉位置に移動するときの姿勢が安定し難く、他の扉と干渉したり、不用意に戸当たりと衝突する可能性がある。したがって、所定の方向の両端近傍に第１の連結ピンおよび第２の連結ピンをそれぞれ設けることが望ましい。扉をスライドさせる方向（所定の方向）の両端の２箇所に連結ピンを取り付けることにより、扉をスライドさせているときの姿勢を安定化できる。また、それらの連結ピンに対応するように、それぞれの連結ピンをガイドする第１のサブガイドおよび第２のサブガイドを設けることにより閉位置に動かすときの姿勢も安定する。
【００１２】
第１および第２のサブガイドを平行に配置して、各々の扉をメインガイドから閉位置に動かすときに前後方向あるいは斜め方向に直線的に動くようにしても良い。メインガイドから斜めに第１の連結ピンをガイドする第１のサブガイドと、第１の連結ピンが閉位置に到達した位置で、第２の連結ピンをメインガイドとほぼ直交する方向にガイドする第２のサブガイドとを設けることが可能である。このような第１および第２のサブガイドの配置であれば、扉を閉位置に動かすときは、まず、第１の連結ピンの側が閉位置に到達し、次に、第２の連結ピンの側を旋回させることになる。したがって、扉の動きをさらに旋回方式に近づけることが可能となり、開口部の周囲の戸当たりに徐々に扉を密着させる、高い気密性が得られる動きをさせることができる。
【００１３】
さらに、扉を開くときは、まず、扉の第２の連結ピンの側を前方に引っ張って旋回させ、次に、スライドさせることによりメインガイドに扉を導くことができ、そのままスライドさせて扉を開けることができる。したがって、片手で扉を簡単に開閉することが可能となる。
【発明の効果】
【００１４】
本発明の開閉機構により、スライド式の扉と、旋回式の扉の長所を併せ持った扉により開口部を開閉することができる。このため、本発明の開閉機構を用いて、前方にスペースがほとんどなくても扉を開閉でき、また、気密性の高い収納部を備えた収納庫を提供できる。
【発明を実施するための最良の形態】
【００１５】
以下に図面を参照して本発明をさらに詳しく説明する。図１に本発明に係る収納庫の外観を示してある。図１では、２枚の扉の一方をスライドさせて他方の扉に重ねた状態で開口部を開いている状態を示してある。収納庫１は、ベース５と、その上に固定された断熱性の箱本体３と、箱本体３の内部の収納部（収納室）６の温度および湿度を制御できる空調ユニット４とを備えている。空調ユニット４は、収納部６の酸素濃度などまでを制御できる環境制御ユニットであっても良い。収納庫１は、さらに、収納室６の前面の開口部２を水平方向（幅方向または左右方向（所定の方向または第１の方向））Ｗに分割して閉じることができる断熱性のパネル状の２つの扉１１および１２と、これらの扉１１および１２を水平方向Ｗにスライドするように、扉１１および１２の上下をガイドする上ガイド板１４および下ガイド板１５とを備えている。
【００１６】
本例においては、２つの扉１１および１２と、上ガイド板１４および下ガイド板１５により、開閉機構２０が構成されている。上ガイド板１４および下ガイド板１５のそれぞれは、扉１１および１２を水平方向（左右の方向）Ｗにスライドさせるためのメインガイドとなる主ガイド溝２１と、主ガイド溝２１から閉位置にそれぞれの扉１１および１２を移動するためのサブガイドとなるサブガイド溝２２とを備えている。それぞれの扉１１および１２は、上端および下端に、主ガイド溝２１およびサブガイド溝２２に挿入された状態で、扉１１および１２をガイドするための連結ピン３５を備えている。
【００１７】
図２に、収納庫１の開口部２の周辺の戸当たり部分の構造を、断面を用いて拡大して示してある。図２は、扉１１が閉位置にあり、扉１２が主ガイド溝２１によりスライドされて扉１１とほぼ重なった位置にある状態を示してある。扉１１および１２は、それらの上部および下部の、左右方向Ｗの両端近傍の２箇所に取り付けられたアーム３６を備えており、それぞれの先端に、連結ピン（第１の連結ピン３５ａおよび第２の連結ピン３５ｂ）が取り付けられている。これらの連結ピン３５ａおよび３５ｂが上ガイド板１４および下ガイド板１５の主ガイド溝２１およびサブガイド溝２２に挿入された状態で扉１１および１２は移動できるようになっている。主ガイド溝２１は、閉位置にある扉の前方で、閉位置の扉と干渉せずに、主ガイド溝２１に沿って開位置にある扉を左右方向Ｗに移動することができる位置に配置されている。本図は、サブガイド溝２２により扉１１が閉位置にあり、その前方で主ガイド溝２１に支持された開状態の扉１２が扉１１と干渉せずに、左右方向Ｗに移動することができる。
【００１８】
閉位置においては、それぞれの扉１１および１２は、開口部２の正面の方向から、開口部２の縁を形成する戸当たり部分２ａに向かって押し付けられる。したがって、スライド式の扉と異なり、閉位置においては、扉１１および１２の裏面と戸当たり部分２ａとの間に隙間を設ける必要はない。このため、扉１１および１２の裏面を戸当たり部分２ａに密着することが容易となる。本例では、各々の扉１１および１２の裏面の四方の縁部分に、シール構造となるパッキン９が取り付けられており、戸当たり部分２ａとの間に隙間が発生しにくいようになっている。パッキン９は、戸当たり部分２ａに取り付けても良い。また、開口部２の中央には、収納室６の底面から天井に延びるようにセンターピラー８が取り付けられており、その前面が戸当たり部分８ａとなり、扉１１および１２の裏側の縦方向に延びた縁に取り付けられたパッキン９と当たり、センターピラー８と扉１１または１２とが密着する。したがって、扉毎に、その扉により開閉する開口部２を密封することができる。シール構造は、平面的なパッキンに限らず、１つまたは複数のフィンを当てて空気の流れを遮断するようなものなど、他の公知のシール構造を適用することができる。
【００１９】
図３および図４に、扉１１により開口部２を開閉する様子を上ガイド板１４と共に示してある。これらの図においては、図１および２とは逆に、扉１２を閉位置にした状態で、扉１１を開ける様子を示してある。また、これらの図では、扉１１および１２と、上ガイド板１４に形成された主ガイド溝２１およびサブガイド溝２２との関係および動きを説明するために、これらを実線で示し、他の部分を破線で示してある。また、開閉する扉１１のアームを実線で示し、閉位置に保持したままの扉１２のアームは破線で示してある。上下のガイド板１４および１５は上下対称の構成をしているので、以下では、上ガイド板１４に設けられた主ガイド溝２１およびサブガイド溝２２により扉１１および１２が支持されている状態を説明するが、下ガイド板１５においても同様である。また、本例の上ガイド板１４は、左右２枚の平板材１４ａおよび１４ｂの組合せにより構成されているが、一枚のガイド板１４として説明する。
【００２０】
上述したように、主ガイド溝２１は、閉位置にある扉の前方で左右方向にほぼ直線的に延びており、開状態にある扉を支持し、主ガイド溝２１に支持された扉を、閉位置にある扉と干渉せずに左右方向Ｗに移動させるためのものである。サブガイド溝２２ａおよび２２ｂは、この主ガイド溝２１から開口部２の方向（後方）に延びており、左右の扉１１および１２のそれぞれを、閉位置に移動するためのものである。また、２つのサブガイド溝２２ａおよび２２ｂは、１つの扉１１を、主ガイド溝２１から閉位置に移動するために、それぞれの扉の両側に取り付けられた第１の連結ピン３５ａおよび第２の連結ピン３５ｂに対応して配置されている。したがって、本例では、２つの扉を、それぞれの閉位置に導くために、主ガイド溝２１からは４つのサブガイド溝が後方に延びている。
【００２１】
このため、本例の主ガイド溝２１およびサブガイド溝２２ａおよび２２ｂにより、扉１１および１２の内、一方の扉を閉位置にした状態で、他方の扉を開いて、左右方向Ｗにスライドし、開口部２を開閉できる。主ガイド溝２１により扉をスライドするときは、扉の両端の連結ピン３５ａおよび３５ｂが主ガイド溝２１に挿入された状態で動くので、扉の姿勢は、主ガイド溝２１に沿って直線的に保持され、閉位置にある他方の扉に当たることがない。また、主ガイド溝２１に支持された位置から、閉位置までは、扉の両側の連結ピン３５ａおよび３５ｂが、それぞれ、サブガイド溝２２ａおよび２２ｂにより導かれるので、サブガイド溝２２ａおよび２２ｂにより決まる姿勢で扉は移動する。したがって、扉がぐらついたり、旋回して不用意に扉の端と戸当たりが衝突したりすることはなく、誰にでも簡単に、安定した状態で扉１１および１２を開閉することができる。
【００２２】
サブガイド溝２２ａおよび２２ｂの内、主ガイド溝２１の両端に位置する第１のサブガイド溝２２ａは、主ガイド溝２１の端から斜め後方に末広がりとなるように延びている。したがって、主ガイド溝２１の端に扉を移動すると、扉の端は後方の開口部２の方向に自動的に導かれる。このため、図３（ｂ）に示すように、開状態の扉１１を、その扉により開閉される開口の側、すなわち、左方向の開口の側にスライドさせると、第１の連結ピン３５ａが第１のサブガイド溝２２ａにガイドされ、扉１１の左側が閉位置に到達する。
【００２３】
他方の第２のサブガイド溝２２ｂは、主ガイド溝２１の略中央で、主ガイド溝２１からほぼ垂直に後方に延びている。この第２のサブガイド溝２２ｂの位置は、扉の一方の端の連結ピン３５ａが第１のサブガイド溝２２ａによりガイドされて、閉位置に到達したときに、扉の他方の端の連結ピン３５ｂが主ガイド溝２１の上で到達する位置である。したがって、図３（ｂ）に示すように、扉１１の左側の第１の連結ピン３５ａが閉位置に到達すると、扉１１の右側の第２の連結ピン３５ｂは、第２のサブガイド溝２２ｂに入る位置になる。第２のサブガイド溝２２ｂは、その位置から後方にほぼ直線状に延びているので、扉１１の右側を押すことにより、扉１１は左側を軸に旋回し、第２の連結ピン３５ｂは第２のサブガイド溝２２ｂに導かれて、閉位置に到達し、開口部２を密封する。扉１１を開くときは、上記と逆の手順で扉１１を動かすことになる。
【００２４】
図３および図４を参照して、主ガイド溝２１およびサブガイド溝２２を備えた開閉機構２０により扉１１を開ける手順を説明する。図３（ａ）は、左右の扉１１および１２が閉位置にあり、開口部２を閉じている状態を示している。開口部２を閉じた状態においては、左右の扉１１および１２はいずれもサブガイド溝２２ａおよび２２ｂにより主ガイド溝２１から閉位置に退避した位置にあり、開口部２を密閉している。閉位置では、扉１１および１２は左右方向Ｗに並列に配置され、扉の前面は揃っており、前後方向に段違いにならない。
【００２５】
図３（ｂ）に示すように、扉１１を開く際は、扉１１の表面の右側（内側）にある取手１７を、扉１１を操作する作業員から見て手前（収納庫１の前方）に引く。これにより、第２の連結ピン３５ｂは、第２のサブガイド溝２２ｂにガイドされて主ガイド溝２１の方向に移動し、扉１１は第１の連結ピン３５ａを中心として旋回する。第２の連結ピン３５ｂが主ガイド溝２１に到達した状態で、扉１１を旋回できなくなり、扉１１は、右側にスライドできる状態になる。
【００２６】
次に、図４（ａ）に示すように、左扉１１を右方向に引っ張る。これにより、第２の連結ピン３５ｂが主ガイド溝２１によりガイドされ、第１の連結ピン３５ａは第１のサブガイド溝２２ａによりガイドされて移動する。第１のサブガイド溝２２ａは、扉１１の左側を右斜め前方に移動させながら、第１の連結ピン３５ａが主ガイド溝２１に到達すると、扉１１は扉１２に対して略平行な状態になり、左扉１１と、閉位置にある右扉１２との間に間隔Ｘが確保される。
【００２７】
図４（ｂ）に示すように、さらに左扉１１を右側に引っ張る（押しても良い）。これにより、扉１１の２つの連結ピン３５ａおよび３５ｂが主ガイド溝２１によりガイドされ、左扉１１は、右扉１２と平行な姿勢の状態で、右扉１２と干渉することなく右方向にスライドする。左扉１１が右扉１２にほぼ重なり合った位置になると、右側の連結ピン３５ｂが動けなくなるので、左扉１１は停止する。この状態で、開口部２のほぼ左半分が開放される。このとき、左扉１１の右側が右扉１２の表面と干渉する可能性があるが、左扉１１の裏面には密閉用のパッキン９が設けられており、干渉材として機能する。
【００２８】
開いた左扉１１を閉じる際は、上記と逆に扉１１を操作する。すなわち、図４（ｂ）の状態から、取手１７を用いて左扉１１を左方向にスライドする。左扉１１は、主ガイド溝２１によってガイドされ、右扉１２の前方を左方向に真直ぐに移動する。左扉１１の第１の連結ピン３５ａが主ガイド溝２１の左端に達すると、第１の連結ピン３５ａは自動的に第１のサブガイド２２ａに入り、第１のサブガイド２２ａによりガイドされ、図３（ｂ）に示すように、左扉１１の左側の部分は閉位置に達する。この状態になると、第２の連結ピン３５ｂは第２のサブガイド溝２２ｂに挿入可能な状態になるので、左扉１１の右側を後方に押すと、第２の連結ピン３５ｂが第２のサブガイド２２ｂによりガイドされながら移動し、扉１１は、第１の連結ピン３５ａを中心に旋回して閉位置に到達する。したがって、図３（ａ）に示したように、左扉１１および右扉１２が共に閉位置において同一平面上に配置された状態で、開口部２が閉じられる。
【００２９】
開口部２を閉じるときの左扉１１の動きは、まず、左扉１１の左側が閉位置に移動し、その後に、左扉１１の右側が扉の左側を軸として旋回しながら閉位置に移動する、２段階の動きとなる。したがって、閉じるときの扉１１の動きは、観音開きなどのような旋回型の扉と同じ動きになり、旋回軸の方向から順番に（徐々に）扉１１の裏面に設けられたパッキン９と開口部２の戸当たり部分２ａとが接触する。パッキン９を開口部２の戸当たり部分２ａに押し付けるだけでも、十分に高い密封性能は得られるが、一方向から順にパッキン９を戸当たり部分２ａに押し付けることにより、パッキン９をスムーズに変形させることができ、しわがよって空気路ができたり、空気がパッキン９と戸当たり部分２ａの間に入ったりすることによる小さなリークも防止できる。したがって、高い密閉性を得ることができる。
【００３０】
また、旋回型の扉は、扉を開閉するときに、旋回させる側に設けられた取手などを引いたり押したりするだけでよく、操作が簡単であるが、本例の開閉機構２０は、そのメリットも備えている。例えば、扉１１は、扉１２の側に設けられた取手１７により扉１１を引いたり、押したりするだけで扉１１を開閉でき、片手で簡単に操作できる。
【００３１】
さらに、本例の開閉機構２０では、扉をいったん主ガイド溝２１に移動させると、主ガイド溝２１に沿ってスライドさせることができる。したがって、スライド式の扉と同様に、開口部２の前面に扉を旋回するようなスペースがなくても、開口部２を開閉できる。スライド式の扉は、密封性を高くすることが難しいが、上記のように、本例の開閉機構２０では密封性は非常に良い。このように、本例の開閉機構２０は、旋回式の扉と、スライド式の扉とのディメリットはなく、それらのメリットを兼ね備えたものとなっている。
【００３２】
さらに、本例の主ガイド溝２１とサブガイド溝２２ａおよび２２ｂは、長穴の形式を採用し、それに連結ピン３５ａおよび３５ｂを挿入している。したがって、主ガイド溝２１と、サブガイド溝２２ａおよび２２ｂとの間の乗り移りは簡単であり、特別な機構は不用であり、乗り移りもスムーズに行なわれる。主ガイド溝２１とサブガイド溝２２ａおよび２２ｂは、カーテンレールのように断面がＣ字型になったガイドであっても良い。レールの外側あるいは内側で扉１１および１２をガイドするような機構を採用することは可能である。その場合は、レールを横断して主ガイドとサブガイドとの乗り移りを行なえるような切り替え機構を設けておくことが望ましい。
【００３３】
また、本例の開閉機構２０では、Ｌ字型に折れ曲がったアーム３６を扉１１および１２に設けて、その先に連結ピン３５ａおよび３５ｂを取り付けている。したがって、主ガイド溝２１の飛び出しを、扉１１および１２の閉位置の付近に止め、扉を開けたときに開口部２へアクセスし易い形態にしている。主ガイド溝２１を扉がスライドする位置に配置することは可能であり、この場合は、連結ピン３５ａおよび３５ｂを扉１１および１２に直に取り付けることも可能である。
【００３４】
なお、上記では、左扉１１を開閉する例を説明したが、右扉１２についても左右の方向が反転するだけで同様に開閉することが可能である。また、左右に２枚の扉１１および１２を備えた収納庫１を例に本発明の開閉機構を説明したが、扉の枚数は２枚に限定されずに、３枚以上であっても良い。
【００３５】
図５に３枚扉の収納庫１ａに採用された本発明に係る開閉機構２０ａの一例を示してある。また、図６に４枚扉の収納庫１ｂに採用された本発明にかかる開閉機構２０ｂの一例を示してある。図５および図６では、図３および図４と同様に、上レール板１４の主ガイド溝２１およびサブガイド溝２２と、扉１１および１２を実線で示し、収納庫１ａおよび１ｂの他の部分は破線で示してある。また、開いた扉のアームを実線で示し、閉じた扉のアームは破線で示してある。図５に示した収納庫１ａの開閉機構２０ａは、３枚のパネル状の扉１１、１２および１３と、これらの扉を水平方向Ｗにスライドするための主ガイド溝２１およびこれらの扉を閉位置に導くための３組のサブガイド溝２２とを備えている。主ガイド溝２１およびサブガイド溝２２は、３枚の扉と同じピッチで分割した３枚の平板材１４ａ〜１４ｃにより構成している。
【００３６】
この収納庫１ａでは、中央の扉１３を、上述した右扉１２と同じ操作で開閉できるようにしている。すなわち、収納庫１ａは、３枚の扉１１、１３および１２により覆われる開口部２ａの幅で延びた主ガイド溝２１と、その主ガイド溝２１から左右の扉１１および１２を閉位置に移動するサブガイド２２ａおよび２２ｂと、中央の扉１３の右側を斜めに閉位置に移動するための第１のサブガイド溝２２ａと、扉１３の左側をほぼ真後ろに閉位置に移動するための第２のサブガイド溝２２ｂとを備えている。したがって、中央の扉１３は、右側の扉１２と同様に、左側を旋回することにより開閉する。中央の扉１３を、左側の扉１１と同様に、右側を旋回することにより開閉するように構成することも可能である。
【００３７】
図６に示した収納庫１ｂの開閉機構２０ｂは、４枚のパネル状の扉１１ａ、１２ａ、１１ｂおよび１２ｂと、これらを水平方向Ｗにスライドさせる主ガイド溝２１と、これらの扉を閉位置に導く４組のサブガイド溝２２とを備えている。本例においては、左扉１１および右扉１２の組合せを左右に並べて４枚扉の開閉機構を実現している。したがって、主ガイド溝２１およびサブガイド溝２２の構成は、図３に示した主ガイド溝２１およびサブガイド溝２２の組合せを左右に２つ並べて、主ガイド溝２１を接続したものとなっている。この４枚の扉を備えた開閉機構２０ｂにおいては、任意の２枚の扉を開くことができ、他の閉位置にある扉の前に移動することにより、開口部２のほぼ半分を開放することができる。中央の２枚の扉は、左扉および右扉のいずれでも構成することができ、左−右−左−右の代わりに、左−左−左−右、左−右−右−右、左−左−右−右といった組合せが可能である。
【００３８】
さらに、上記では、左右方向（水平方向）Ｗを所定の方向（第１の方向）とし、この方向に扉が開かれる収納庫を例に本発明を説明したが、所定の方向は上下方向でも良く、開口部を上下に複数の扉で分割して開閉する開閉機構にも本発明は適用可能である。この場合は、複数のパネル状の扉が上下に動くように主ガイド溝を配置し、その主ガイド溝に対しては上記と同様にサブガイド溝を配置することができる。
【００３９】
また、上記では、密封性に優れた旋回動作が可能な開閉機構の例を説明したが、サブガイド溝により、直線的に後方に、あるいは斜め後方に主ガイド溝から扉をスライドして閉位置に導くことも可能である。さらに、独立した空調機構付きの収納庫を例に本発明を適用した例を説明したが、空調のない収納庫であっても本発明の開閉機構を適用することによりスペース効率が良く密封性の高い収納庫を提供できる。また、本発明の開閉機構は、気密性が良く、扉を開閉するために要するスペースの小さな開閉機構であるので、独立した収納庫に限らず、家庭内の収納スペースを開閉するための機構などの他の用途にも適用できる。
【図面の簡単な説明】
【００４０】
【図１】本発明に係る収納庫の外観を示す斜視図である。
【図２】収納庫の開口部の戸当たり部分を拡大して示す断面図である。
【図３】図３（ａ）は左右の扉で開口部を閉じた様子を模式的に示す図、図３（ｂ）は左扉を開き始めた様子を模式的に示す図である。
【図４】図４（ａ）は、左扉を右扉の側にスライドしている様子を模式的に示す図、図４（ｂ）は左扉を右扉の側にスライドしきった様子を模式的に示す図である。
【図５】３枚扉の収納庫において中央扉を左扉の側にスライドした様子を模式的に示す図である。
【図６】４枚扉の収納庫において、左側から２番目の扉および右端の扉をスライドした様子を模式的に示す図である。
【符号の説明】
【００４１】
１、１ａ、１ｂ    収納庫
２    開口部
６    収納室
１１、１１ａ、１２、１２ａ、１３    扉
１４、１５    レール板
２０、２０ａ、２０ｂ    開閉機構
２１    主ガイド溝
２２ａ    第１のサブガイド溝
２２ｂ    第２のサブガイド溝
３５ａ    第１の連結ピン
３５ｂ    第２の連結ピン
【図１】
2006125029.tif 000003
【図２】
2006125029.tif 000004
【図３】
2006125029.tif 000005
【図４】
2006125029.tif 000006
【図５】
2006125029.tif 000007
【図６】
2006125029.tif 000008